(57)【特許請求の範囲】
【請求項１】
従動輪となる左右の転舵輪と、左右の駆動輪とを備えた車両における前後速度を推定する前後速度推定装置であって、
前記左右の転舵輪の車輪回転速度をそれぞれ測定する一対の車輪回転速度測定手段と、
前記車両のハンドル角を測定するハンドル角測定手段と、
前記車両のヨーレートを測定するヨーレート測定手段と、
前記車両の前後加速度を測定する前後加速度測定手段と、
前記車両の走行状態が定められた限界走行状態であるか否かを判定する走行状態判定手段と、
前記車輪回転速度測定手段で測定された前記左右の転舵輪の車輪回転速度、および、前記ハンドル角測定手段で測定されたハンドル角を入力として、車両モデルにより規範横滑り角を推定する車両モデル応答計算手段と、
前記左右の転舵輪の車輪回転速度、前記ハンドル角、前記ヨーレート測定手段で測定されたヨーレート、および前記車両モデル応答計算手段で推定された規範横滑り角を用いて車両の前後速度を推定する第１の車速推定手段と、
前記前後加速度測定手段で測定された前後加速度を積分演算して車両の前後速度を推定する第２の車速推定手段と、
前記走行状態判定手段で判定された前記車両の走行状態に基づき、定められた規則に従って前記第１の車速推定手段および前記第２の車速推定手段のいずれか一方により推定した車両の前後速度を選択する車速選択手段と、を備え、
この車速選択手段は、前記定められた規則として、通常時は前記第１の車速推定手段によって推定した車両の前後速度を選択して出力し、前記走行状態判定手段により前記車両の走行状態が定められた限界走行状態であると判定されると、前記第２の車速推定手段によって推定した車両の前後速度を選択して出力することを特徴とする車両の前後速度推定装置。
【請求項２】
請求項１に記載の車両の前後速度推定装置において、前記車両の横加速度を測定する横加速度測定手段を備え、前記車両モデル応答計算手段において、前記左右の転舵輪の車輪回転速度および前記ハンドル角を入力として、車両モデルにより規範横加速度または規範ヨーレートを推定し、
前記走行状態判定手段は、前記横加速度測定手段で測定された横加速度と前記規範横加速度との偏差が閾値以上のとき、または前記ヨーレート測定手段で測定されたヨーレートと前記規範ヨーレートとの偏差が閾値以上のとき、前記車両の走行状態が定められた限界走行状態であると判定する車両の前後速度推定装置。
【請求項３】
請求項１または請求項２に記載の車両の前後速度推定装置において、前記車両の横滑りを防止する横滑り防止制御装置と、前記車両の制動力を制御する制動制御装置とを備え、前記走行状態判定手段は、前記横滑り防止制御装置および前記制動制御装置のいずれか一方または両方が作動しているとき、前記車両の走行状態が定められた限界走行状態であると判定する車両の前後速度推定装置。
【請求項４】
請求項１ないし請求項３のいずれか１項に記載の車両の前後速度推定装置において、前記走行状態判定手段が定められた限界走行状態であると判定したとき、この判定直前に前記第１の車速推定手段によって推定した車両の前後速度を、前記第２の車速推定手段における前後加速度の積分演算の初期値とする車両の前後速度推定装置。
【発明の詳細な説明】
【技術分野】
【０００１】
この発明は、車両の前後速度推定装置に関し、特に駆動輪と転舵輪が異なる位置に配置される車両の前後速度推定装置に関する。
【背景技術】
【０００２】
車輪の空転を防止する、例えばトラクション制御を行うためには、駆動輪の位置での車両速度が必要である。駆動輪と転舵輪が異なる位置に配置される車両の場合、駆動輪の回転軸と直交する平面と車体の前後方向とが平行になるように駆動輪と車両が配置されている。このため、駆動輪の位置での車両速度は、車両の前後速度とヨーレートから計算できる。車両の前後速度は、従動輪の車輪回転速度を用いることで精度良く推定できる。ここで、車両に生じている横滑り角が大きい場合には、車両の横滑り角の影響を補正する必要がある。
【０００３】
例えば、旋回円の接線方向加速度と法線方向加速度、およびヨーレートを用いて横滑り角速度を求め、その横滑り角速度を積分することで横滑り角を推定する技術が提案されている（特許文献１）。この推定した横滑り角を用いて、旋回中の車両の前後速度を推定している。
ところで、横滑り角の推定に関しては、例えば、ハンドル角と車両速度を入力変数とする車両モデルより横滑り角を推定する技術が提案されている（特許文献２）。推定した横滑り角と車輪の回転速度から、車体の前後速度を推定できる。
【先行技術文献】
【特許文献】
【０００４】
【特許文献１】特開平１０−１７５５３７号公報
【特許文献２】特開昭６２−８３２４７号公報
【発明の概要】
【発明が解決しようとする課題】
【０００５】
特許文献１では、旋回円の接線方向加速度と法線方向加速度、およびヨーレートを用いて横滑り角速度を求め、その横滑り角速度を積分することで横滑り角を推定している。ところが、積分演算では誤差（ドリフト）が蓄積されやすい。そのため、長時間の積分演算を行うと横滑り角の推定精度が悪化しやすいため、正確に車両の前後速度を推定できない可能性がある。
【０００６】
特許文献２では、車両モデルから横滑り角を推定している。図６に示すように、タイヤに生じている横滑り角に対して、タイヤが発生できる横力（コーナリングフォース）が線形の関係にある領域（以下、「タイヤの線形領域」と称す）では、良好な精度で横滑り角を推定できるが、タイヤに生じる横滑り角に対して、タイヤが発生できる横力が非線形の関係にある領域（以下、「タイヤの非線形領域」と称す）では、横滑り角の推定精度が悪化する。この場合、正確に車両の前後速度を推定することができない。
【０００７】
他の方法として、前後加速度の積分演算から車両の前後速度を推定することが考えられる。しかし、やはり積分演算では誤差（ドリフト）が蓄積されやすく、正確に車両の前後速度を推定することができない。
【０００８】
この発明の目的は、従動輪となる転舵輪と、駆動輪とを備えた車両において、車両の走行状態にかかわらず精度よく車両の前後速度を推定することができる車両の前後速度推定装置を提供することである。
【課題を解決するための手段】
【０００９】
この発明の車両の前後速度推定装置は、従動輪となる左右の転舵輪３と、左右の駆動輪２とを備えた車両における前後速度を推定する前後速度推定装置１０であって、
前記左右の転舵輪３の車輪回転速度をそれぞれ測定する一対の車輪回転速度測定手段１４と、
前記車両のハンドル角を測定するハンドル角測定手段１５と、
前記車両のヨーレートを測定するヨーレート測定手段１６と、
前記車両の前後加速度を測定する前後加速度測定手段１７と、
前記車両の走行状態が定められた限界走行状態であるか否かを判定する走行状態判定手段２６と、
前記車輪回転速度測定手段１４で測定された前記左右の転舵輪３の車輪回転速度、および、前記ハンドル角測定手段１５で測定されたハンドル角を入力として、車両モデルにより規範横滑り角を推定する車両モデル応答計算手段２５と、
前記左右の転舵輪３の車輪回転速度、前記ハンドル角、前記ヨーレート測定手段１６で測定されたヨーレート、および前記車両モデル応答計算手段２５で推定された規範横滑り角を用いて車両の前後速度を推定する第１の車速推定手段２７と、
前記前後加速度測定手段１７で測定された前後加速度を積分演算して車両の前後速度を推定する第２の車速推定手段２８と、
前記走行状態判定手段２６で判定された前記車両の走行状態に基づき、定められた規則に従って前記第１の車速推定手段２７および前記第２の車速推定手段２８のいずれか一方により推定した車両の前後速度を選択する車速選択手段２９と、を備え、
この車速選択手段２９は、前記定められた規則として、通常時は前記第１の車速推定手段２７によって推定した車両の前後速度を選択して出力し、前記走行状態判定手段２６により前記車両の走行状態が定められた限界走行状態であると判定されると、前記第２の車速推定手段２８によって推定した車両の前後速度を選択して出力することを特徴とする。
前記定められた規則は、設計等によって任意に定める規則であって、例えば、試験およびシミュレーションのいずれか一方または両方により適切な規則を求めて定められる。
前記車両の走行状態は、タイヤの線形領域で走行している通常走行状態と、タイヤの非線形領域で走行している限界走行状態とを含む。
前記定められた限界走行状態は、設計等によって任意に定める走行状態であって、例えば、試験およびシミュレーションのいずれか一方または両方により適切なタイヤの非線形領域を求めて定められる。
この明細書において、「車輪回転速度」とは、単位時間あたりの車輪回転数と同義である。
【００１０】
この構成によると、車両モデル応答計算手段２５は、左右の転舵輪３の車輪回転速度、およびハンドル角を入力として、車両モデルにより規範横滑り角を推定する。
前記車両モデルとして、例えば、平面２自由度モデル（通称：平面２輪モデル）を用いているが、この平面２輪モデルに限定されるものではない。
【００１１】
第１の車速推定手段２７は、左右の転舵輪３の車輪回転速度、ハンドル角、ヨーレート、および規範横滑り角を用いて車両の前後速度を推定する。車速選択手段２９は、通常時（例えば、タイヤの線形領域で走行している状態（以下、「通常走行状態」という）において、第１の車速推定手段２７によって推定した車両の前後速度を選択して出力する。通常走行状態では、良好な精度で規範横滑り角を推定できるため、前記のように第１の車速推定手段２７によって推定した車両の前後速度を選択して出力することで、正確に車両の前後速度を推定することができる。
【００１２】
走行状態判定手段２６により車両の走行状態が定められた限界走行状態であると判定されると、車速選択手段２９は、第２の車速推定手段２８によって推定した車両の前後速度を選択して出力する。限界走行状態では、規範横滑り角の推定精度が悪化するため、第１の車速推定手段２７を適用せず、第２の車速推定手段２８を適用する。第２の車速推定手段２８は、前後加速度測定手段１７で測定された前後加速度を積分演算して車両の前後速度を推定する。このように積分演算する時間を限界走行状態と判定したときに限定することで、誤差（ドリフト）の蓄積による推定精度の悪化を防止できる。以上説明したように車両の走行状態にかかわらず精度よく車両の前後速度を推定することができる。
【００１３】
前記車両の横加速度を測定する横加速度測定手段１７を備え、前記車両モデル応答計算手段２５において、前記左右の転舵輪３の車輪回転速度および前記ハンドル角を入力として、車両モデルにより規範横加速度または規範ヨーレートを推定し、
前記走行状態判定手段２６は、前記横加速度測定手段１７で測定された横加速度と前記規範横加速度との偏差が閾値以上のとき、または前記ヨーレート測定手段１６で測定されたヨーレートと前記規範ヨーレートとの偏差が閾値以上のとき、前記車両の走行状態が定められた限界走行状態であると判定しても良い。
前記各閾値は、それぞれ設計等によって任意に定める値であって、例えば、試験およびシミュレーションのいずれか一方または両方により適切な値を求めて定められる。
【００１４】
この構成によると、実際に車両に発生している横加速度と規範横加速度との偏差が閾値以上のとき、または実際に車両に発生しているヨーレートと規範ヨーレートとの偏差が閾値以上のとき、定められた限界走行状態であるとみなすことができる。この限界走行状態において第２の車速推定手段２８を適用することで、精度よく且つ正確に車両の前後速度を推定することができる。
【００１５】
前記車両の横滑りを防止する横滑り防止制御装置２１と、前記車両の制動力を制御する制動制御装置２２とを備え、前記走行状態判定手段２６は、前記横滑り防止制御装置２１および前記制動制御装置２２のいずれか一方または両方が作動しているとき、前記車両の走行状態が定められた限界走行状態であると判定しても良い。このような限界走行状態において第２の車速推定手段２８を適用することで、精度よく且つ正確に車両の前後速度を推定することができる。
【００１６】
前記走行状態判定手段２６が定められた限界走行状態であると判定したとき、この判定直前に前記第１の車速推定手段２７によって推定した車両の前後速度を、前記第２の車速推定手段２８における前後加速度の積分演算の初期値としても良い。この場合、第２の車速推定手段２８により推定する車両の前後速度をより精度よく推定することができる。
【発明の効果】
【００１７】
この発明の車両の前後速度推定装置は、従動輪となる左右の転舵輪と、左右の駆動輪とを備えた車両における前後速度を推定する前後速度推定装置であって、前記左右の転舵輪の車輪回転速度をそれぞれ測定する一対の車輪回転速度測定手段と、前記車両のハンドル角を測定するハンドル角測定手段と、前記車両のヨーレートを測定するヨーレート測定手段と、前記車両の前後加速度を測定する前後加速度測定手段と、前記車両の走行状態が定められた限界走行状態であるか否かを判定する走行状態判定手段と、前記車輪回転速度測定手段で測定された前記左右の転舵輪の車輪回転速度、および、前記ハンドル角測定手段で測定されたハンドル角を入力として、車両モデルにより規範横滑り角を推定する車両モデル応答計算手段と、前記左右の転舵輪の車輪回転速度、前記ハンドル角、前記ヨーレート測定手段で測定されたヨーレート、および前記車両モデル応答計算手段で推定された規範横滑り角を用いて車両の前後速度を推定する第１の車速推定手段と、前記前後加速度測定手段で測定された前後加速度を積分演算して車両の前後速度を推定する第２の車速推定手段と、前記走行状態判定手段で判定された前記車両の走行状態に基づき、定められた規則に従って前記第１の車速推定手段および前記第２の車速推定手段のいずれか一方により推定した車両の前後速度を選択する車速選択手段と、を備える。この車速選択手段は、前記定められた規則として、通常時は前記第１の車速推定手段によって推定した車両の前後速度を選択して出力し、前記走行状態判定手段により前記車両の走行状態が定められた限界走行状態であると判定されると、前記第２の車速推定手段によって推定した車両の前後速度を選択して出力する。このため、従動輪となる転舵輪と、駆動輪とを備えた車両において、車両の走行状態にかかわらず精度よく車両の前後速度を推定することができる。
【図面の簡単な説明】
【００１８】
【図１】この発明の実施形態に係る車両の前後速度推定装置のシステム構成を平面視で概略示す図である。
【図２】同車両のインホイールモータ駆動装置の断面図である。
【図３】同前後速度推定装置の制御系のブロック図である。
【図４】各記号と同車両の位置の対応関係を示す図である。
【図５】同前後速度推定装置における車両モデルを説明する図である。
【図６】横すべり角と横力との関係を示す図である。
【発明を実施するための形態】
【００１９】
この発明の実施形態に係る車両の前後速度推定装置を図１ないし図６と共に説明する。
図１は、この実施形態に係る車両の前後速度推定装置のシステム構成を平面視で概略示す図である。この前後速度推定装置を搭載した車両である電気自動車１は、左右の後輪２が動力源となる電動のモータ４で駆動される駆動輪であり、左右の前輪３が従動輪となる。左右の前輪３は転舵輪とされている。各モータ４は、それぞれ駆動力および制動力を発生可能である。各モータ４は、インホイールモータ駆動装置ＩＷＭを構成する。
【００２０】
図２に示すように、インホイールモータ駆動装置ＩＷＭは、モータ４、減速機６、および車輪用軸受７を有し、これらの一部または全体が後輪２内に配置される。モータ４の回転は、減速機６および車輪用軸受７を介して後輪２に伝達される。車輪用軸受７のハブ輪７ａのフランジ部には摩擦ブレーキ装置８を構成するブレーキロータ８ａが固定され、同ブレーキロータ８ａは後輪２と一体に回転する。モータ４は、例えば、ロータ４ａのコア部に永久磁石が内蔵された埋込磁石型同期モータである。このモータ４は、ハウジング４ｃに固定したステータ４ｂと、回転出力軸９に取り付けたロータ４ａとの間にラジアルギャップを設けたモータである。
【００２１】
制御系について説明する。
図１に示すように、前後速度推定装置１０は、この車両の前後速度を推定する装置である。前後速度推定装置１０は、車両に搭載されたＥＣＵ１１と、モータ４に対して設けられたインバータ装置１２と、センサ類１３とを有する。ＥＣＵ１１は、マイクロコンピュータ等のコンピュータとこれに実行されるプログラム、並びに各種の電子回路等で構成される。ＥＣＵ１１とインバータ装置１２とは、例えば、ＣＡＮ（コントロール・エリア・ネットワーク）等の車内通信網で接続されている。
【００２２】
センサ類１３は、左右の前輪３の車輪回転速度をそれぞれ測定する一対の車輪回転速度測定手段１４と、車両のハンドル角を測定するハンドル角測定手段１５と、車両のヨーレートを測定するヨーレート測定手段１６と、車両の前後加速度および横加速度を測定する加速度センサ１７とを有する。またセンサ類１３は、アクセル操作手段１８の操作量を検出するアクセルセンサ１８ａ、およびブレーキ操作手段１９の操作量を検出するブレーキセンサ１９ａを有する。
【００２３】
ＥＣＵ１１は、この例では次に示す車両コントローラ２０と、車両の横滑りを防止する制御を行う横滑り防止制御装置（略称ＥＳＣ）２１と、車両の制動力を制御する制動制御装置（略称ＡＢＳ）２２とを有する。車両コントローラ２０には、アクセル操作手段１８からの加速指令、およびブレーキ操作手段１９からの減速指令が入力され、前記加速指令と前記減速指令の差に応じた制駆動トルクを、インバータ装置１２のモータコントローラ１２ａに与える。モータコントローラ１２ａは、与えられる制駆動トルクに従い、電流指令に変換して、インバータ１２ｂに電流指令を与える。
【００２４】
図３に示すように、車両コントローラ２０は、車両の前後速度推定装置本体２３と、スリップ率制御装置２４とを有する。前後速度推定装置本体２３は、車両モデル応答計算手段２５、走行状態判定手段２６、第１の車速推定手段２７、第２の車速推定手段２８、および車速選択手段２９を有する。
車両モデル応答計算手段２５は、車輪回転速度測定手段１４で測定された左右の前輪３の車輪回転速度、および、ハンドル角測定手段１５で測定された車両のハンドル角を入力として、車両モデルを用いて、規範横滑り角βｒｅｆ、規範ヨーレートγｒｅｆ、規範横加速度Ａｙｒｅｆを計算する。なお車両モデルから得られる状態量には「規範」が付けられている。前記車両モデルとして、この例では、後述する平面２自由度モデル（通称：平面２輪モデル）を用いている。
【００２５】
走行状態判定手段２６は、車両の走行状態が定められた限界走行状態であるか否かを判定する。車両の走行状態は、図６に示すように、タイヤの線形領域で走行している通常走行状態と、タイヤの非線形領域で走行している限界走行状態とを含む。
図３に示すように、走行状態判定手段２６は、車両モデル応答計算手段２５が計算した規範横加速度Ａｙｒｅｆと、実際に車両に発生している横加速度Ａｙとの偏差（以下、「横加速度偏差」と称す）ΔＡｙがある閾値以上のとき、または車両モデル応答計算手段２５が計算した規範ヨーレートγｒｅｆと、実際に車両に発生しているヨーレートγとの偏差（以下、「ヨーレート偏差」と称す）Δγがある閾値以上のとき、車両の走行状態が限界走行状態であると判定する。
【００２６】
前記限界走行状態は、車両モデルを用いて推定した規範横滑り角βｒｅｆの推定精度が悪化している状態である。実際に車両に発生している横加速度Ａｙは、横加速度測定手段および前後加速度測定手段である加速度センサ１７により測定される。実際に車両に発生しているヨーレートγは、ヨーレート測定手段１６により測定される。
【００２７】
また走行状態判定手段２６は、横滑り防止制御装置２１および制動制御装置２２のいずれか一方または両方が作動しているとき、車両の走行状態が限界走行状態であると判定する。
走行状態判定手段２６は、前述のいずれの条件にもあてはまらないとき、車両モデルを用いて推定した規範横滑り角βｒｅｆの推定精度が良好な状態（以下、「通常走行状態」と称す）と判定する。
【００２８】
第１の車速推定手段２７は、左右の前輪の車輪回転速度ωＦＬ，ωＦＲ、横滑り角β、ハンドル角δｈ、およびヨーレートγを用いて、以下の式（ａ１），（ａ２）から車両の前後速度Ｖｘを推定する。
【００２９】
【数１】
0006679348.tif 000002
【００３０】
図４は、各記号とこの車両の位置の対応関係を示す図である。同図４および図３等を適宜参照しつつ説明する。
式（ａ１），（ａ２）において、ωＦＬ，ωＦＲは左右の前輪３の車輪回転速度、βは横滑り角、δｈはハンドル角、γはヨーレート、δは実舵角、ＲＦは前輪の車輪半径、ｌｆ（図５）は重心Ｐ（図５）から前輪３の車軸位置までの距離、ｎはステアリングギヤ比である。横滑り角βは、車両諸元およびハンドル角δｈと転舵輪の車輪回転速度ωＦＬ，ωＦＲを入力変数とする車両モデルから推定する規範横滑り角である。
【００３１】
車両モデルについて説明する。
１．モデル化
ロール運動を無視した４輪モデルでは、各輪で前後方向と横方向の力および速度を考えるため、運動方程式を記述すると非常に複雑になる。
そこで、左右輪のタイヤ特性に差が無く、実舵角が小さいとした場合について考える。これにより図５に示すように、トレッドの影響を無視することができるため、運動方程式の記述が容易となる。この図５は平面２輪モデルと呼ばれるモデルである。
【００３２】
２．運動方程式
車両重量をｍ、実舵角をδ、前輪の車軸〜重心位置間の距離をｌｆ、後輪の車軸〜重心位置間の距離をｌｒ、車両を真上から見たときの重心回りのモーメント（ヨーレート）をｒ、前後輪の横滑り角をそれぞれβｆ，βｒ、前後輪に働く横力（コーナリングフォース）をそれぞれＹｆ，Ｙｒとする。
ここで前後輪の横滑り角、実舵角の絶対値がそれぞれ「１」よりも非常に小さい、つまり｜βｆ｜、｜βｒ｜、｜δ｜≪１とすれば、これらの方向は、車両の横方向に一致すると考えて良い。車両を真上から見た場合において、角度を全て反時計回りを正として、車両の横方向の運動を記述する式は、以下のようになる。
【００３３】
【数２】
0006679348.tif 000003
【００３４】
【数３】
0006679348.tif 000004
【００３５】
【数４】
0006679348.tif 000005
【００３６】
３．伝達関数
式(11)、(12)を代数方程式として解くことで、操舵に対するβ、ｒの伝達関数を得ることができる。
【数５】
0006679348.tif 000006
【００３７】
【数６】
0006679348.tif 000007
【００３８】
【数７】
0006679348.tif 000008
【００３９】
車両モデルから横滑り角βを推定する場合、通常走行状態には良好な精度で推定できるが、限界走行状態には精度が悪化する。
そのため、図３に示すように、限界走行状態のときには第２の車速推定手段２８を用いて車両の前後速度を推定する。第２の車速推定手段２８は、加速度センサ１７が出力する車両の前後加速度Ａｘを用いて、以下の式（ｂ１）から車両の前後速度Ｖｘを推定する。
【００４０】
【数８】
0006679348.tif 000009
【００４１】
ここでＶｘｏは、走行状態判定手段２６が限界走行状態と判断する直前に、式（ａ１），（ａ２）から求められる車両の前後速度Ｖｘを用いる。換言すれば、走行状態判定手段２６が限界走行状態であると判定したとき、この判定直前に第１の車速推定手段２７によって推定した車両の前後速度Ｖｘを、第２の車速推定手段２８における前後加速度の積分演算の初期値とする。第２の車速推定手段２８では、積分演算する時間を限界走行状態に限定することで、誤差（ドリフト）の蓄積による推定精度の悪化を防止する。
【００４２】
車速選択手段２９は、走行状態判定手段２６が通常走行状態と判断した場合には、第１の車速推定手段２７で推定した車両の前後速度Ｖｘを選択して出力する。車速選択手段２９は、走行状態判定手段２６が限界走行状態と判断した場合には、第２の車速推定手段２８で推定した車両の前後速度Ｖｘを選択して出力する。
【００４３】
図３，図４に示すように、スリップ率制御装置２４は、例えば、前後速度推定装置本体２３が推定した車両の前後速度Ｖｘと、車両に発生しているヨーレートから駆動輪の位置での車両速度Ｖｄｒｖを計算する。図４では、左後輪２の位置での車両速度がＶｄｒｖＬと表記され、右後輪２の位置での車両速度がＶｄｒｖＲと表記されている。
【００４４】
図３，図４に示すように、さらにスリップ率制御装置２４は、前記駆動輪の位置での車両速度Ｖｄｒｖと駆動輪の車輪回転速度からスリップ率を計算し、このスリップ率と目標とするスリップ率との偏差から、フィードバック制御で各駆動輪のモータに発生させる制駆動トルクを制御する。このスリップ率制御を行う際、前記前後速度推定装置を適用することで、精度よく車両の前後速度Ｖｘを推定することができる。
【００４５】
以上説明した前後速度推定装置１０によれば、タイヤの線形領域で走行している、いわゆる通常走行状態では、良好な精度で規範横滑り角を推定できるため、第１の車速推定手段２７によって推定した車両の前後速度を選択して出力することで、正確に車両の前後速度を推定することができる。
【００４６】
走行状態判定手段２６により車両の走行状態が限界走行状態であると判定されると、車速選択手段２９は、第２の車速推定手段２８によって推定した車両の前後速度を選択して出力する。限界走行状態では、規範横滑り角の推定精度が悪化するため、第１の車速推定手段２７を適用せず、第２の車速推定手段２８を適用する。第２の車速推定手段２８は、加速度センサ１７で測定された前後加速度を積分演算して車両の前後速度を推定する。このように積分演算する時間を限界走行状態と判定したときに限定することで、誤差（ドリフト）の蓄積による推定精度の悪化を防止できる。以上説明したように車両の走行状態にかかわらず精度よく車両の前後速度を推定することができる。
【００４７】
他の実施形態について説明する。
インホイールモータ駆動装置ＩＷＭにおいては、サイクロイド式の減速機、遊星減速機、２軸並行減速機、その他の減速機を適用可能であり、また、減速機を採用しない、所謂ダイレクトモータタイプであってもよい。
前述の実施形態では、インホイールモータ方式の電気自動車を用いて説明したが、非インホイールモータ方式の車両、例えば、車体に設置された２台のモータの出力をドライブシャフト等を介して左右の駆動輪に伝達するいわゆる２モータオンボード方式の車両でも本制御の適用が可能である。
本実施形態の前後速度推定装置で推定した前後速度を、車輪の空転を防止するトラクション制御装置に用いても良い。
【００４８】
以上、実施形態に基づいてこの発明を実施するための形態を説明したが、今回開示された実施の形態はすべての点で例示であって制限的なものではない。この発明の範囲は上記した説明ではなくて特許請求の範囲によって示され、特許請求の範囲と均等の意味および範囲内でのすべての変更が含まれることが意図される。
【符号の説明】
【００４９】
１…電気自動車（車両）
２…後輪（駆動輪）
３…前輪（従動輪、転舵輪）
１４…車輪回転速度測定手段
１５…ハンドル角測定手段
１６…ヨーレート測定手段
１７…加速度センサ（前後加速度測定手段、横加速度測定手段）
２１…横滑り防止制御装置
２２…制動制御装置
２５…車両モデル応答計算手段
２６…走行状態判定手段
２７…第１の車速推定手段
２８…第２の車速推定手段
２９…車速選択手段
【図１】
0006679348.tif 000010
【図２】
0006679348.tif 000011
【図３】
0006679348.tif 000012
【図４】
0006679348.tif 000013
【図５】
0006679348.tif 000014
【図６】
0006679348.tif 000015